(57)【要約】【課題】コネクタの挿入力の低減を図りつつ、余分な作業を必要とすることなく単一のコネクタとして取り扱うことができて、コネクタ自体の大型化も回避することができる、新規な構造のコネクタを提供すること。【解決手段】コネクタハウジング１４に複数のキャビティ２４が貫設されており、複数のキャビティ２４内に電線端末に設けられた複数の端子金具２６がそれぞれ収容配置されてなるコネクタ１０において、コネクタハウジング１４が少なくとも２つの分割体２０，２２によって構成されており、分割体２０，２２がキャビティ２４の貫設方向に相互にスライド変位可能にスライド機構３６，３８を介して合体されている一方、２つの分割体２０，２２を、スライド方向で相互に離隔した第１ポジション５２とスライド方向で相互に同位置となる第２ポジション５４とに選択的に位置決め保持する保持機構４０，４２を備えているようにした。【選択図】図１
2016122563.tif 000002
【特許請求の範囲】
【請求項１】
コネクタハウジングに複数のキャビティが貫設されており、該複数のキャビティ内に電線端末に設けられた複数の端子金具がそれぞれ収容配置されてなるコネクタにおいて、
前記コネクタハウジングが少なくとも２つの分割体によって構成されており、該分割体が前記キャビティの貫設方向に相互にスライド変位可能にスライド機構を介して合体されている一方、
前記２つの分割体を、スライド方向で相互に離隔した第１ポジションと前記スライド方向で相互に同位置となる第２ポジションとに選択的に位置決め保持する保持機構を備えていることを特徴とするコネクタ。
【請求項２】
前記２つの分割体が相互に摺接する一対の摺接面の一方には、他方に向かって突出して前記スライド方向に延出するスライドリブが設けられている一方、前記一対の摺接面の他方には、前記スライド方向に延出して前記スライドリブがスライド自在に収容嵌合されるスライド溝が設けられており、前記スライドリブと前記スライド溝を含んで前記スライド機構が構成されている請求項１に記載のコネクタ。
【請求項３】
前記スライドリブと前記スライド溝の一方に嵌合突起が設けられており、前記スライドリブと前記スライド溝の他方に前記嵌合突起が嵌合される２つの嵌合凹部がスライド方向の前方と後方に離隔して設けられており、前記嵌合突起が前記後方に位置する前記嵌合凹部に嵌合した際に前記２つの分割体が前記第１ポジションに位置決め保持される一方、前記嵌合突起が前記前方に位置する前記嵌合凹部に嵌合した際に前記２つの分割体が前記第２ポジションに位置決め保持されるようになっており、前記嵌合突起と前記嵌合凹部を含んで前記保持機構が構成されている請求項２に記載のコネクタ。
【請求項４】
前記スライドリブと前記スライド溝の一方に前記嵌合突起がスライド方向の前方と後方に離隔して２つ設けられており、前記第１ポジションでは前記前方に位置する前記嵌合突起のみが前記後方に位置する嵌合凹部に嵌合し、前記第２ポジションでは２つの前記嵌合突起が２つの前記嵌合凹部にそれぞれ嵌合する請求項３に記載のコネクタ。
【請求項５】
前記２つの分割体のうち、少なくとも前記第１ポジションにおいて前記スライド方向で後方に位置する前記分割体には、前記分割体に把持突起が突設されている請求項１〜４の何れか１項に記載のコネクタ。
【発明の詳細な説明】
【技術分野】
【０００１】
本発明は、コネクタハウジングに貫設された複数のキャビティに対して、電線端末に設けられた複数の端子金具がそれぞれ収容配置されてなるコネクタに関するものである。
【背景技術】
【０００２】
従来から、自動車の電装系に用いられるワイヤハーネス等の端末には、コネクタハウジングに貫設された複数のキャビティに対して電線端末に設けられた複数の端子金具がそれぞれ収容配置されてなるコネクタが設けられており、電装系における機器間の接続が容易に為されるようになっている。
【０００３】
ところで、近年の車載電装品等の増加に伴い、多数の端子金具を有する所謂多極コネクタの使用も増加しつつある。このように、コネクタが有する端子金具の数が増加すると、かかるコネクタを相手側コネクタに接続する際に嵌合する端子数も増加し、コネクタの組み付けに際して要求される挿入力が大きくなる。その結果、作業者に過度の負担がかかると共に、十分な嵌合が為されずに半嵌合状態となるおそれもあった。
【０００４】
そこで、例えば特開平６−２１５８３０号公報（特許文献１）において、コネクタの一部を分割コネクタとし、コネクタ本体のハウジングに設けたスライド用ガイド孔に、分割コネクタのハウジングをスライド移行可能に挿通配置したものが提案されている。かかる構造によれば、相手側コネクタへの嵌合タイミングを、分割コネクタとコネクタ本体とで多段階に分割することができ、嵌合力の低減を図ることができる。
【０００５】
しかしながら、コネクタ本体のスライド用ガイド孔に分割コネクタを組み付ける構成では、コネクタを相手側コネクタに接続する際に、作業者が分割コネクタをスライド用ガイド孔に挿入装着する作業が煩雑となり作業性の悪化を招いていた。
【０００６】
また、コネクタ本体のハウジングに設けられたスライド用ガイド孔に対して、別体の分割コネクタのハウジングを組み付ける構成であることから、コネクタ本体のハウジングの大型化、ひいてはコネクタ自体の大型化が避けられず車両の省スペース化、小型化の要求に上手く対応できない場合があった。
【先行技術文献】
【特許文献】
【０００７】
【特許文献１】特開平６−２１５８３０号公報
【発明の概要】
【発明が解決しようとする課題】
【０００８】
本発明は、上述の事情を背景に為されたものであって、その解決課題は、コネクタの挿入力の低減を図りつつ、余分な作業を必要とすることなく単一のコネクタとして取り扱うことができて、コネクタ自体の大型化も回避することができる、新規な構造のコネクタを提供することにある。
【課題を解決するための手段】
【０００９】
本発明の第一の態様は、コネクタハウジングに複数のキャビティが貫設されており、該複数のキャビティ内に電線端末に設けられた複数の端子金具がそれぞれ収容配置されてなるコネクタにおいて、前記コネクタハウジングが少なくとも２つの分割体によって構成されており、該分割体が前記キャビティの貫設方向に相互にスライド変位可能にスライド機構を介して合体されている一方、前記２つの分割体を、スライド方向で相互に離隔した第１ポジションと前記スライド方向で相互に同位置となる第２ポジションとに選択的に位置決め保持する保持機構を備えていることを特徴とする。
【００１０】
本態様によれば、コネクタハウジングを構成する少なくとも２つの分割体が、キャビティの貫設方向に相互にスライド変位可能にスライド機構を介して合体されていることから、単一のコネクタとして取り扱うことができる。それ故、コネクタを相手側コネクタへ装着する際には、従来の分割式のコネクタのようにコネクタ本体に分割コネクタを組み付ける作業が不要となり、取扱いが容易となる。
【００１１】
また、コネクタハウジングを構成する少なくとも２つの分割体が合体されており、保持機構により、相互に離隔した第１ポジションと相互に同位置となる第２ポジションに選択的に位置決め保持することができる。従って、２つの分割体を第１ポジションに位置決め保持した状態で、相手側コネクタへ組み付け作業を行うと、作業者は単一のコネクタとして一括で相手側コネクタへの組み付けを行いつつ、一部の端子金具を相手側の端子と嵌合させて挿入力の低減を図ることができる。続いて、保持機構による位置決め保持位置を第１ポジションから第２ポジションへ変更することで、残りの端子金具を相手側端子と嵌合させることができ、段階的な端子の嵌合による挿入力の低減を図ることができる。要するに、本態様では、コネクタの嵌合作業を、単一のコネクタのごとき簡素な取扱と、段階的な端子の嵌合を両立して為すことができるのである。
【００１２】
しかも、コネクタハウジングが少なくとも２つの分割体に分割されて合体されているに過ぎず、従来構造のようにコネクタ本体のハウジングの内部に分割コネクタのハウジングを挿通収容する空間を設ける必要がない。従って、コネクタ自体の大型化を回避しつつコンパクトな外形形状を維持することができる。
【００１３】
なお、コネクタハウジングを構成する分割体は、少なくとも２つあればよく、３つ以上であってもよい。
【００１４】
本発明の第二の態様は、前記第一の態様に記載のものにおいて、前記２つの分割体が相互に摺接する一対の摺接面の一方には、他方に向かって突出して前記スライド方向に延出するスライドリブが設けられている一方、前記一対の摺接面の他方には、前記スライド方向に延出して前記スライドリブがスライド自在に収容嵌合されるスライド溝が設けられており、前記スライドリブと前記スライド溝を含んで前記スライド機構が構成されているものである。
【００１５】
本態様によれば、２つの分割体を相互にスライド変位可能にしつつ合体させるスライド機構を、２つの分割体の摺接面間に設けることができ、コネクタ自体の一層のコンパクト化を図りつつ２つの分割体をスライド変位可能に合体させることができる。
【００１６】
本発明の第三の態様は、前記第二の態様に記載のものにおいて、前記スライドリブと前記スライド溝の一方に嵌合突起が設けられており、前記スライドリブと前記スライド溝の他方に前記嵌合突起が嵌合される２つの嵌合凹部がスライド方向の前方と後方に離隔して設けられており、前記嵌合突起が前記後方に位置する前記嵌合凹部に嵌合した際に前記２つの分割体が前記第１ポジションに位置決め保持される一方、前記嵌合突起が前記前方に位置する前記嵌合凹部に嵌合した際に前記２つの分割体が前記第２ポジションに位置決め保持されるようになっており、前記嵌合突起と前記嵌合凹部を含んで前記保持機構が構成されているものである。
【００１７】
本態様によれば、スライドリブとスライド溝の一方に嵌合突起を設け、他方にスライド方向で離隔して嵌合突起が嵌合される２つの嵌合凹部を設ける簡単且つコンパクトな構造で、２つの分割体を第１ポジションと第２ポジションに選択的に位置決め保持する保持機構を構成することができる。
【００１８】
本発明の第四の態様は、前記第三の態様に記載のものにおいて、前記スライドリブと前記スライド溝の一方に前記嵌合突起がスライド方向の前方と後方に離隔して２つ設けられており、前記第１ポジションでは前記前方に位置する前記嵌合突起のみが前記後方に位置する嵌合凹部に嵌合し、前記第２ポジションでは２つの前記嵌合突起が２つの前記嵌合凹部にそれぞれ嵌合するものである。
【００１９】
本態様によれば、嵌合突起を２つ設けて、第１ポジションでは１つの嵌合突起が後方に位置する嵌合凹部に嵌合し、第２ポジションでは２つの嵌合突起が前方と後方に位置する２つの嵌合凹部にそれぞれ嵌合する。これにより、コネクタの全端子が相手方の端子と完全嵌合する第１ポジションを強固に保持して、コネクタと相手側コネクタとの接続安定性の保持を有利に図ることができる。
【００２０】
本発明の第五の態様は、前記第一乃至第四の何れか１つの態様に記載のものにおいて、  前記２つの分割体のうち、少なくとも前記第１ポジションにおいて前記スライド方向で後方に位置する前記分割体には、前記分割体に把持突起が突設されているものである。
【００２１】
本態様によれば、少なくともスライド方向で後方に位置する分割体に把持突起が突設されていることから、分割体が第１ポジションで位置決め保持されたコネクタを相手側コネクタに装着した後、第１ポジションから第２ポジションへの変更を把持突起を押圧することでより容易且つスムーズに行うことができ、組み付け作業性の一層の向上を図ることができる。
【００２２】
なお、把持突起は、少なくとも第１ポジションでスライド方向で後方に位置する分割体に設けられていればよいが、全ての分割体に設けられていてもよく、これにより分割体の取り扱いが一層容易となりコネクタの組み付け作業性のさらなる向上を図ることができる。
【発明の効果】
【００２３】
本発明によれば、コネクタハウジングを構成する少なくとも２つの分割体が、キャビティの貫設方向に相互にスライド変位可能にスライド機構を介して合体されていることから、単一のコネクタとして取り扱うことができる。しかも、分割体が合体されており、保持機構により相互に離隔した第１ポジションと相互に同位置となる第２ポジションに選択的に位置決め保持できる。これにより、２つの分割体を第１ポジションに位置決め保持した状態で、相手側コネクタへ組み付け作業を行うことにより、先ず、一部の端子金具を相手側コネクタの端子と嵌合させることができる。続いて、保持機構による位置決め保持位置を第１ポジションから第２ポジションへ変更することで、残りの端子金具を相手側コネクタの端子と嵌合させることができ、段階的な端子の嵌合による挿入力することができる。加えて、コネクタハウジングが少なくとも２つの分割体に分割されて合体されているに過ぎず、従来構造の如きコネクタ本体のハウジングの内部に分割コネクタのハウジングを挿通収容する空間を設ける必要がないことから、コンパクトな外形形状を維持できる。
【図面の簡単な説明】
【００２４】
【図１】本発明の一実施形態としてのコネクタを示す斜視図（（ａ）第１ポジション、（ｂ）第２ポジション）。
【図２】本発明の一実施形態としてのコネクタの相手側コネクタへの嵌合前の状態を示す斜視図。
【図３】図１に示すコネクタの嵌合後の状態を示す斜視図。
【図４】図３におけるＩＶ−ＩＶ断面の要部拡大図。
【図５】図１に示す一方の分割体の左側面図。
【図６】図１に示す他方の分割体の右側面図。
【図７】本実施形態の他方の分割体の他の態様を示す右側面図。
【図８】本実施形態の一方の分割体の別の態様を示す左側面図。
【図９】本実施形態の他方の分割体の別の態様を示す右側面図。
【発明を実施するための形態】
【００２５】
以下、本発明の実施形態について、図面を参照しつつ説明する。
【００２６】
先ず、図１〜６に、本発明の一実施形態としてのコネクタ１０を示す。図１〜３に示されているように、コネクタ１０は、複数の電線１２と、複数の電線１２の端末に設けられたコネクタハウジング１４を含んで構成されている。そして、コネクタ１０の前方側（図２中、左側）より、各種車載電装品と図示しない電線によって接続された相手側コネクタ１６のコネクタハウジング１８が嵌合されるようになっている（図３参照）。なお、理解を容易とするため、図１〜２では、複数の電線１２について仮想線で示している一方、複数の電線１２のうち１本の電線１２については後述する電線端末に設けられた端子金具２６を含めて仮想線で示している。また、以下の説明において、上方とは、図１中の上方、下方とは、図１中の下方、前方とは、図１中の左方、後方とは、図１中の右方を言うものとする。
【００２７】
コネクタハウジング１４は、２つの分割体２０，２２によって構成されている。２つの分割体２０，２２はいずれも略ブロック形状とされており、例えばポリプロピレン（ＰＰ）、ポリアミド（ＰＡ）等の合成樹脂により射出成形等によって一体形成されている。２つの分割体２０，２２の内部には、複数（一方の分割体２０が４つ、他方の分割体２２が２つ）のキャビティ２４が貫通形成されている。具体的には、複数のキャビティ２４は、２つの分割体２０，２２の前方及び後方に向かって開口する貫通孔により構成されている。そして、２つの分割体２０，２２に設けられた複数のキャビティ２４にはそれぞれ、電線１２の電線端末に設けられた端子金具２６が後方側から挿入され、キャビティ２４内の所定の位置に配設されるようになっている。ここで、端子金具２６は、図１〜２に示されているように、一端側（図１〜２中、右側）において電線１２の芯線２８に加締め接続されている一方、他端側（図１〜２中、左側）には前後方向に開口する略角筒状の接続部３０が設けられている。
【００２８】
２つの分割体２０，２２は、図１〜２に示されているように、キャビティ２４の貫設方向（図１中、前後方向）に相互にスライド変位可能に後述するスライド機構を介して合体されている。具体的には、２つの分割体２０，２２の相互に摺接する一対の摺接面３２，３４には、スライド方向（図１〜３中、前後方向）に延出するスライド溝３６とスライドリブ３８が設けられており、スライド溝３６とスライドリブ３８を含んでスライド機構が構成されている。より詳細には、一方の分割体２０の摺接面３２には、略台形断面形状で前後方向の全長に亘って延び出すスライド溝３６が設けられており、スライド溝３６にはスライド方向（図１〜３中、前後方向）の前方と後方に離隔して側面視で略円形状の２つの嵌合凹部４０が設けられている（図５参照）。一方、他方の分割体２２の摺接面３４には、略逆台形断面形状で前後方向の全長に亘って延び出すと共に対向する一方の分割体２０の摺接面３２に向かって突出するスライドリブ３８が設けられている。スライドリブ３８のスライド方向の前方には、嵌合凹部４０に嵌合される略ドーム状の嵌合突起４２が、一方の分割体２０の摺接面３２に向かって突設されている（図４，６参照）。そして、スライドリブ３８がスライド溝３６に収容嵌合されることにより、２つの分割体２０，２２が前後方向に対してスライド自在とされている。なお、この２つの分割体２０，２２は、後述する保持機構４０，４２により、２つの分割体２０，２２がスライド方向で相互に離隔した位置に位置決め保持された第１ポジション５２（図１（ａ）参照）と、２つの分割体２０，２２がスライド方向で相互に同位置となる位置に位置決め保持された第２ポジション５４（図１（ｂ）参照）とに選択的に位置決め保持されるようになっている。
【００２９】
加えて、２つの分割体２０，２２の後面４４の４辺の周縁部のうち一対の摺接面３２，３４に連接しない３辺の周縁部には、図１〜３に示されているように、周縁部の外方に向かって延出する略矩形平板状の把持突起４６が設けられている。
【００３０】
相手側コネクタ１６のコネクタハウジング１８は略ブロック形状とされており、例えばポリプロピレン（ＰＰ）、ポリアミド（ＰＡ）等の合成樹脂により射出成形等によって一体形成されている。相手側コネクタ１６のコネクタハウジング１８はコネクタ１０のコネクタハウジング１４に比べて大きく形成されている。相手側コネクタ１６のコネクタハウジング１８の先端側（図２中、手前側）に開口形成された装着孔４８に対してコネクタ１０のコネクタハウジング１４が収容嵌合されるようになっている。
【００３１】
また、図２〜３に示されているように、相手側コネクタ１６のコネクタハウジング１８の奥壁５０（図２中、奥側）には、図示しない複数のキャビティが貫通形成されている。具体的には、複数のキャビティは、コネクタハウジング１８の奥壁５０をコネクタ挿抜方向両側に開口する貫通孔により構成されている。そして、かかる複数のキャビティには、図示しない電線の電線端末に設けられた図示しないコネクタ端子が図２中の奥方から挿入され、複数のキャビティ内の所定の位置に配設されるようになっている。そして、コネクタ１０と相手側コネクタ１６が嵌合されることにより、端子金具２６とコネクタ端子が相互に連結されて、かかるコネクタ１０，１６に電線を介して接続された各種車載電装品が相互に電気的に接続されるようになっている。
【００３２】
上述の如き構造とされたコネクタ１０が、図２〜３に示されているように、相手側コネクタ１６に嵌合される。より詳細には、先ず、図２に示されているように、スライドリブ３８をスライド溝３６に収容嵌合されることにより前後方向に対してスライド自在とされた２つの分割体２０，２２を、スライド方向で相互に離隔した第１ポジション５２に位置決め保持する。ここで、第１ポジション５２とは、嵌合突起４２が後方に位置する嵌合凹部４０に嵌合されることにより、２つの分割体２０，２２がスライド方向で相互に離隔した位置に位置決め保持されたポジションを言う。
【００３３】
次に、第１ポジション５２に位置決め保持された２つの分割体２０，２２を、相手側コネクタ１６のコネクタハウジング１８の装着孔４８に収容嵌合する。これにより、一方の分割体２０に配設された端子金具２６が相手側コネクタ１６に配設されたコネクタ端子と連結される。続いて、他方の分割体２２を装着孔４８に向かって押し込むことにより、他方の分割体２２も相手側コネクタ１６のコネクタハウジング１８の装着孔４８に収容嵌合される。この結果、２つの分割体２０，２２は、スライド方向で相互に同位置となる第２ポジション５４に位置決め保持される。ここで、第２ポジション５４とは、嵌合突起４２が前方に位置する嵌合凹部４０に嵌合されることにより、２つの分割体２０，２２がスライド方向で相互に同位置となる位置に位置決め保持されたポジションを言う。このように、２つの分割体２０，２２を第１ポジション５２と第２ポジション５４とに選択的に位置決め保持する保持機構が、嵌合凹部４０と嵌合突起４２を含んで構成されているのである。この結果、他方の分割体２２に設けられた端子金具２６が相手側コネクタ１６のコネクタ端子と連結されることにより、コネクタ１０と相手側コネクタ１６が嵌合されるようになっている。
【００３４】
上述の如き構造の本実施形態のコネクタ１０によれば、コネクタハウジング１４を構成する２つの分割体２０，２２が、スライド機構３６，３８を介して合体されている。しかも、２つの嵌合凹部４０と嵌合突起４２によって２つの分割体２０，２２を第１ポジション５２と第２ポジション５４とに選択的に位置決め保持できるようになっていることから、単一のコネクタとして取り扱うことができる。それ故、コネクタ１０を相手側コネクタ１６へ装着する際に、従来の分割式のコネクタの如きコネクタ本体に複数の分割コネクタをそれぞれ組み付けるといった作業が不要となることから、取扱いが容易とできる。
【００３５】
また、コネクタ１０を相手側コネクタ１６へ装着する際に、先ず、２つの分割体２０，２２が、スライド方向で相互に離隔した第１ポジション５２に位置決め保持した状態で、相手側コネクタ１６のコネクタハウジング１８の装着孔４８に収容嵌合される。これにより、一方の分割体２０に設けられた端子金具２６のみが相手側コネクタ１６のコネクタ端子と連結されることから、挿入力の低減を図ることができる。続いて、かかる状態で、他方の分割体２２を装着孔４８に向かって押し込むことにより、他方の分割体２２も相手側コネクタ１６のコネクタハウジング１８の装着孔４８に収容嵌合される。これにより、他方の分割体２２に設けられた端子金具２６のみが相手側コネクタ１６のコネクタ端子と連結されることから、挿入力の低減を図ることができる。かかる状態で、２つの分割体２０，２２は、スライド方向で相互に同位置となる第２ポジション５４に位置決め保持されている。
【００３６】
以上のように、本実施形態では、コネクタ１０，１６の嵌合作業を、単一のコネクタのごとき簡素な取扱と、段階的な嵌合による挿入力の低減を両立して為すことができるのである。さらに、本実施形態では、ココネクタ１０のコネクタハウジング１４が２つに分割されて合体されているに過ぎないことから、従来構造のようにコネクタ本体のハウジングの内部に分割コネクタのハウジングを挿通収容する空間を設ける必要がない。それ故、コネクタ１０自体の大型化を回避しつつコンパクトな外形形状を維持することができる。
【００３７】
また、本実施形態では、２つの分割体２０，２２を相互にスライド変位可能にしつつ合体させるスライド機構と、２つの分割体を第１ポジション５２と第２ポジション５４に選択的に位置決め保持する保持機構が、２つの分割体の一対の摺接面３２，３４間に設けられている。それ故、コネクタ１０自体のコンパクト化を図りつつ、２つの分割体をスライド変位可能に合体させると共に２つのポジション５２，５４、に選択的に位置決め保持することができる。
【００３８】
加えて、２つの分割体２０，２２に把持突起４６が突設されている。これにより、コネクタ１０を相手側コネクタ１６へ装着する際に、先ず、第１ポジション５２に位置決め保持した２つの分割体２０，２２を、相手側コネクタ１６のコネクタハウジング１８の装着孔４８に収容嵌合する作業を、把持突起４６を押圧することでより容易且つスムーズに行うことができる。さらに、かかる状態で、他方の分割体２２の把持突起４６を装着孔４８に向かって押圧することにより、他方の分割体２２を相手側コネクタ１６のコネクタハウジング１８の装着孔４８に収容嵌合する作業をも、容易且つスムーズに行うことができるようになっている。
【００３９】
次に、図７を用いて、本発明の他方の分割体２２の他の態様について詳述するが、上記実施形態と同様な構造とされた部材および部位については、図中に、上記実施形態と同一の符号を付することにより、それらの詳細な説明を省略する。本実施形態は、上記実施形態に比べて、他方の分割体５６の嵌合突起４２がスライド方向（図７中、左右方向）の前方と後方に離隔して２つ設けられている点に関して、上記実施形態と異なる実施形態を示すものである。
【００４０】
より詳細には、第１ポジション５２では前方（図７中、左方）に位置する嵌合突起４２のみが後方（図５中、左方）に位置する嵌合凹部４０に嵌合し、第２ポジション５４では２つの嵌合突起４２が２つの嵌合凹部４０にそれぞれ嵌合するのである。これにより、コネクタ１０の全端子金具２６が相手側コネクタ１６のコネクタ端子と完全嵌合する第２ポジション５４を強固に保持して、コネクタ１０と相手側コネクタ１６との接続安定性の保持を有利に図ることができるのである。
【００４１】
続いて、図８〜９を用いて、本発明の２つの分割体２０，２２の別の態様について詳述するが、図１〜６に示す上述の実施形態と同様な構造とされた部材および部位については、図中に、上述の実施形態と同一の符号を付することにより、それらの詳細な説明を省略する。本実施形態は、上述の実施形態に比べて、一方の分割体５８のスライド溝６０の形状と他方の分割体６２のスライドリブ６４の形状が異なっている点に関して、上述の実施形態と異なる実施形態を示すものである。
【００４２】
より詳細には、一方の分割体５８のスライド溝６０が、一方の分割体５８の前端部から後方に向かって延び出すと共に、中間部分から上方に向かって上端部まで延び出すように形成されている（図８参照）。一方、他方の分割体６２のスライドリブ６４は、中間部分において側面視で略矩形状に形成されている（図９参照）。すなわち、本実施形態では、第１ポジション５２が、他方の分割体６２のスライドリブ６４を一方の分割体５８のスライド溝６０に上方から挿し入れて構成するようになっている点が上述の実施形態と異なっている。以上のように、本実施形態においても、コネクタハウジング１４が２つの分割体５８，６２によって構成されていると共に、スライド機構６０，６４と保持機構４０，４２を備えて構成されていることは上述の実施形態と変わらないことから、上述の実施形態と同様の効果を得ることができるのである。
【００４３】
以上、本発明の実施形態について詳述したが、本発明はその具体的な記載によって限定されない。例えば、上記実施形態では、コネクタハウジング１４を構成する分割体２０，２２は２つであったが、３つ以上であってもよい。また、上記実施形態では、把持突起４６は、２つの分割体２０，２２に設けられていたが、少なくとも第１ポジション５２でスライド方向で後方に位置する他方の分割体２２に設けられていればよい。これにより、分割体２０，２２の取り扱いが一層容易となりコネクタ１０の組み付け作業性のさらなる向上を図ることができる。
【００４４】
上記実施形態では、一方の分割体２０の摺接面３２にスライド溝３６が設けられる一方、他方の分割体２２の摺接面３４にスライドリブ３８が設けられていたが、逆でもよい。また、スライド溝３６に嵌合凹部４０が設けられる一方、スライドリブ３８に嵌合突起４２が設けられていたが、これも逆でもよい。また、スライド溝３６，スライドリブ３８，嵌合凹部４０，嵌合突起４２や把持突起４６の形状は例示のものに限定されず、同一の機能を奏し得るものであれば、任意の形状が採用可能である。
【符号の説明】
【００４５】
１０：コネクタ、１４：コネクタハウジング、２０，５８：一方の分割体、２２，５６，６２：他方の分割体、２４：キャビティ、２６：端子金具、３２：摺接面、３４：摺接面、３６，６０：スライド溝（スライド機構）、３８，６４：スライドリブ（スライド機構）、４０：嵌合凹部（保持機構）、４２：嵌合突起（保持機構）、４６：把持突起、５２：第１ポジション、５４：第２ポジション
【図１】
2016122563.tif 000003
【図２】
2016122563.tif 000004
【図３】
2016122563.tif 000005
【図４】
2016122563.tif 000006
【図５】
2016122563.tif 000007
【図６】
2016122563.tif 000008
【図７】
2016122563.tif 000009
【図８】
2016122563.tif 000010
【図９】
2016122563.tif 000011